(57)【要約】      （修正有）【課題】フィット性及び履き心地に優れた釣り用履き物２の提供。【解決手段】釣り用履き物２は、アッパー４と、ヒールガード６と、紐１４とを備えている。アッパー４は布製であり、ヒールガードは合成樹脂製である。ヒールガード６は、本体２２と、左右一対のアーム２４とを備えてる。本体２２はアッパー４と積層されており、アッパー４の踵近傍を覆っている。アーム２４は本体２２から延在しており、その先端は足首の爪先側にまで至っている。アーム２４は、その先端に貫通孔２８を備えている。この貫通孔２８には、紐１４が通されている。紐１４が締められて示されることにより、アッパー４が着用者の足首及び踵を押圧する。ヒールガードの硬度Ｈｓは、４０以上である。【選択図】図１
2006197977.tif 000002
【特許請求の範囲】
【請求項１】
アッパーと、ヒールガードと、紐とを備えており、
このヒールガードが、アッパーの踵近傍を覆う本体と、この本体から延在し足首の爪先側にまで至る左右一対のアームを備えており、
このアームが、紐が通されるための貫通孔を有する釣り用履き物。
【請求項２】
上記アッパーが布製であり、ヒールガードが合成樹脂製である請求項１に記載の釣り用履き物。
【請求項３】
上記ヒールガードの硬度Ｈｓが４０以上である請求項１又は２に記載の釣り用履き物。
【請求項４】
上記アッパーのアウトサイドを覆うアウトサイドガードと、このアッパーのインサイドを覆うインサイドガードとをさらに備えており、このアウトサイドガード及びインサイドガードが合成樹脂からなる請求項１から３のいずれかに記載の釣り用履き物。
【発明の詳細な説明】
【技術分野】
【０００１】
本発明は、釣り人に着用される履き物に関する。
【背景技術】
【０００２】
一般的な釣り用の靴は、紐を備えている。紐が締められて縛られることにより、アッパーの左側部分と右側部分とが中央に引き寄せられる。この引き寄せによって足が締め付けられる。紐は、靴のフィット性に寄与する。紐を備えた釣り用の靴が、株式会社シマノ発行の「２００４総合カタログ」第１８６頁に掲載されている。
【非特許文献１】株式会社シマノ発行「２００４総合カタログ」第１８６頁
【発明の開示】
【発明が解決しようとする課題】
【０００３】
紐の引き寄せにより、アッパーは主として甲を下方に締め付ける。紐の引き寄せでは、足首はほとんど締め付けられない。この靴では、フィット性は十分ではない。釣り場において釣り人は、岩に上ったり、跳躍したり、好ポイントを求めて歩き回ったりする。釣り人の動作は、激しい。釣り人は、フィット性がさらに優れた靴を望んでいる。
【０００４】
岩場、テトラポッド等で釣りが行われるとき、釣り人の足場が前下がりの傾斜面であることがある。釣り人がこの傾斜面に立つと、足は靴の中を前方へと移動する。釣り人の体重は爪先にかかり、爪先はアッパーの内面に強く押圧される。この姿勢が長時間維持されると、釣り人は足に苦痛を覚える。この靴は、履き心地に劣る。
【０００５】
本発明の目的は、フィット性及び履き心地に優れた釣り用履き物の提供にある。
【課題を解決するための手段】
【０００６】
本発明に係る釣り用履き物は、アッパーと、ヒールガードと、紐とを備える。このヒールガードは、アッパーの踵近傍を覆う本体と、この本体から延在し足首の爪先側にまで至る左右一対のアームを備える。このアームは、紐が通されるための貫通孔を有する。
【０００７】
好ましくは、アッパーは布製であり、ヒールガードは合成樹脂製である。好ましくは、ヒールガードの硬度Ｈｓは４０以上である。
【０００８】
好ましくは、履き物は、アッパーのアウトサイドを覆うアウトサイドガードと、このアッパーのインサイドを覆うインサイドガードとをさらに備える。このアウトサイドガード及びインサイドガードは、合成樹脂からなる。
【発明の効果】
【０００９】
この釣り用履き物では、紐が締められることにより、ヒールガードが足首を締め付ける。このヒールガードにより、着用者はフィット感を得ることができる。この履き物では、着用者が前下がりの傾斜面に立ったときでも、ヒールガードが前方への足の移動を阻止するので、着用者は爪先の苦痛を覚えない。この履き物は、着用感にも優れる。
【発明を実施するための最良の形態】
【００１０】
以下、適宜図面が参照されつつ、好ましい実施形態に基づいて本発明が詳細に説明される。
【００１１】
図１は本発明の一実施形態に係る釣り用履き物２が示された正面図であり、図２はその平面図である。図３は、図１の履き物２の一部が示された分解図である。図１には、履き物２のアウトサイドが示されている。この履き物２は、アッパー４、ヒールガード６、アウトサイドガード８、インサイドガード１０、トウガード１２、紐１４及びアウトソール１６を備えている。図２及び図３では、紐１４の図示が省略されている。図３では、アウトソール１６の図示が省略されている。図示されていないが、この履き物２はインソールも備えている。履き物２がミッドソールを備えてもよい。
【００１２】
アッパー４は、布製である。典型的には、アッパー４にメッシュ状の布地が用いられる。アッパー４は、ハトメ１８を備えている。このハトメ１８には、紐１４が通されている。アッパー４はまた、フラップ２０も備えている。
【００１３】
ヒールガード６は、硬質の合成樹脂からなる。ヒールガード６は、本体２２と左右一対のアーム２４を備えている。本体２２とアーム２４とは、一体的に成形されている。本体２２はアッパー４と積層されており、アッパー４の踵近傍を覆っている。図１に示されるように、本体２２は開口２６を備えている。この開口２６は、履き物２の通気性及び通水性を高める。図２に示されるように、アーム２４は本体２２から延在しており、その先端は足首の爪先側にまで至っている。アーム２４は、その先端に貫通孔２８を備えている。この貫通孔２８にも、紐１４が通されている。
【００１４】
アウトサイドガード８はアッパー４と積層されており、アッパー４のアウトサイドを覆っている。図１に示されるように、アウトサイドガード８は、開口３０を備えている。この開口３０は、履き物２の通気性及び通水性を高める。インサイドガード１０はアッパー４と積層されており、アッパー４のインサイドを覆っている。図示されていないが、インサイドガード１０もアウトサイドガード８と同様の開口を備えている。トウガード１２はアッパー４と積層されており、アッパー４の爪先近傍を覆っている。
【００１５】
ヒールガード６、アウトサイドガード８、インサイドガード１０及びトウガード１２は、硬質の合成樹脂からなる。合成樹脂の具体例としては、ポリエチレン、ポリプロピレン、ポリ塩化ビニル、ポリエステル及びポリアミドが挙げられる。
【００１６】
アウトソール１６は、架橋ゴムからなる。アウトソール１６には、耐摩耗性及び強度に優れたゴムが用いられる。典型的には、アウトソール１６に天然ゴム、ポリブタジエン又はスチレン−ブタジエン共重合体が用いられる。図示されていないが、アウトソール１６は、その底面に凹凸を備えている。この凹凸により、履き物２のスリップが防止される。アウトソール１６が、その底面にスパークピンを備えてもよい。
【００１７】
アウトソール１６は、その側壁３２に多数の瘤状突起３４を備えている。この瘤状突起３４は、外向きに突出している。この履き物２が岩場で着用されたときは、まず瘤状突起３４が岩と接触する。この瘤状突起３４により、アッパー４と岩との激しい衝突が防止され、アッパー４が岩と激しく擦れ合うことが防止される。換言すれば、この瘤状突起３４はアッパー４を保護する。
【００１８】
この履き物２が着用されるときは、まず着用者が足を履き物２に入れる。次に、ハトメ１８及びアーム２４の貫通孔２８を通された紐１４が締められて、縛られる。前述のようにアーム２４は足首の爪先側にまで至っているので、紐１４が締められることでアーム２４がアッパー４を着用者の足首に強く押圧する。このとき、アーム２４に働く張力はヒールガード６の本体２２にも及ぶ。この張力により、本体２２の直下のアッパー４は着用者の踵を強く押圧する。足首及び踵の押圧により、履き物２が足にフィットする。足にフィットした履き物２は、釣り場での激しい動作を妨げない。
【００１９】
着用者が前下がりの傾斜面に立ったときでも、本体２２と一体となったアーム２４が、足の前方へのズレを防止する。この履き物２では、爪先に過度の力がかからない。この履き物２が前下がりの傾斜面で長時間使用されても、着用者は爪先に苦痛を覚えない。この履き物２は、履き心地に優れる。
【００２０】
フィット性及び履き心地の観点から、ＪＩＳ−Ａ硬度計で測定されたヒールガード６の硬度Ｈｓは４０以上が好ましく、６０以上がより好ましい。アッパー４に対する追従性の観点から、硬度Ｈｓは９５以下が好ましく、８０以下が好ましい。
【００２１】
フィット性及び履き心地の観点から、ヒールガード６の厚みは０．３ｍｍ以上が好ましく、０．５ｍｍ以上がより好ましい。アッパー４に対する追従性の観点から、厚みは３．０ｍｍ以下が好ましい。
【００２２】
図４は、図１の履き物２の一部が示された拡大図である。この図４には、アーム２４が示されている。図４において両矢印Ｗで示されているのは、アーム２４の幅である。幅は、３ｍｍ以上３０ｍｍ以下が好ましい。幅が３ｍｍ以上に設定されることにより、優れたフィット性及び履き心地が達成される。この観点から、幅Ｗは５ｍｍ以上がより好ましい。
【００２３】
ヒールガード６、アウトサイドガード８及びインサイドガード１０は、着用者の足を包み込む。ヒールガード６、アウトサイドガード８及びインサイドガード１０は、履き物２のホールド性を高める。この履き物２は、安定性にも優れる。安定性の観点から、アウトサイドガード８及びインサイドガード１０の硬度Ｈｓは、ヒールガード６の硬度Ｈｓと同等であることが好ましい。安定性の観点から、アウトサイドガード８及びインサイドガード１０の厚みは、ヒールガード６の厚みと同等であることが好ましい。
【００２４】
この履き物２では、ヒールガード６、アウトサイドガード８、インサイドガード１０及びトウガード１２が、アッパー４と岩との直接の擦動を防止する。ヒールガード６、アウトサイドガード８、インサイドガード１０及びトウガード１２は、アッパー４を保護する。アッパー４の保護の観点から、トウガード１２の硬度Ｈｓは、ヒールガード６の硬度Ｈｓと同等であることが好ましい。アッパー４の保護の観点から、トウガード１２の厚みは、ヒールガード６の厚みと同等であることが好ましい。
【００２５】
この履き物２の製造では、まず金型に未架橋ゴム組成物が充填される。ゴム組成物は加熱によって架橋反応を起こし、アウトソール１６が得られる。一方、アッパー４にヒールガード６、アウトサイドガード８、インサイドガード１０及びトウガード１２が接合される。接合は、縫合によって達成される。接合が、接着剤によってなされてもよい。次に、このアッパー４にアウトソール１６が接合される。接合は、接着剤によって達成される。次に、アウトソール１６にインソールが積層されて、履き物２が完成する。
【産業上の利用可能性】
【００２６】
本発明に係る履き物は、磯、防波堤、砂浜、船等の種々の釣り場において利用されうる。
【図面の簡単な説明】
【００２７】
【図１】図１は、本発明の一実施形態に係る釣り用履き物が示された正面図である。
【図２】図２は、図１の釣り用履き物が示された平面図である。
【図３】図３は、図１の釣り用履き物の一部が示された分解図である。
【図４】図４は、図１の釣り用履き物の一部が示された拡大図である。
【符号の説明】
【００２８】
２・・・釣り用履き物
４・・・アッパー
６・・・ヒールガード
８・・・アウトサイドガード
１０・・・インサイドガード
１２・・・トウガード
１４・・・紐
１６・・・アウトソール
２２・・・本体
２４・・・アーム
２８・・・貫通孔
【図１】
2006197977.tif 000003
【図２】
2006197977.tif 000004
【図３】
2006197977.tif 000005
【図４】
2006197977.tif 000006